(57)【要約】      （修正有）【課題】緑化スロープ全体の安定／堅固性を向上させることができるスロープ補強緑化構造を提供する。【解決手段】スタッフィング１１を充填し、しかも通気性と透水性を備える多数の植生バッグ１、多数の留め具２を備え、植生バッグ１は植物種子１２を含み、しかも緑化が必要なスロープ３上に敷設し、留め具２を植生バッグ１に突き刺し、スロープ３と接続して固定する。これにより植生バッグ１とスロープ３とは一体となり、植生バッグ１とスロープ３との間には、一体に固定する作用を備える補強層４を設置し、スタッフィング１１を充填し、植物種子１２を混在させ、或いは芝生を敷設する植生バッグ１とスロープ３との間に増設する補強層４により、スロープは、環境緑化、生態保護、美観、環境保護の作用を備えるようになる。しかも空気指数を改善することができ、熱及び騒音を吸収可能で、特にスロープの緑化においてより安定・堅固な効果を達成することができる。【選択図】図１
0003167684.tif 000002
【実用新案登録請求の範囲】
【請求項１】
スロープ補強緑化構造は、スタッフィングを充填し、しかも通気性と透水性を備える多数の植生バッグ、多数の留め具を備え、
前記植生バッグ植物種子を含み、しかも緑化が必要なスロープ上に敷設し、
前記留め具を、前記植生バッグに突き刺し、スロープと接続して固定し、これにより前記植生バッグとスロープとは一体となり、
前記植生バッグとスロープとの間には、一体に固定する作用を備える補強層を設置することを特徴とする、スロープ補強緑化構造。
【請求項２】
前記補強層は、コンクリート或いは粘着剤であることを特徴とする、請求項１に記載のスロープ補強緑化構造。
【請求項３】
前記相互に隣接する２個の植生バッグの上表面の間或いは相互に隣接する２個の植生バッグ底部と補強層との間は、連接固定部品を嵌めて接続し、
前記連接固定部品は、基板を備え、前記基板の片側表面には、前記２個の相互に隣接する植生バッグに嵌めて接続する多数の突出物を設置することを特徴とする、請求項１に記載のスロープ補強緑化構造。
【請求項４】
前記基板上には、前記留め具を通過させる少なくとも１個の孔を開設することを特徴とする、請求項３に記載のスロープ補強緑化構造。
【請求項５】
前記植物種子は、前記植生バッグ表面にスプレーし、或いは前記スタッフィング中に混ぜて前記植生バッグ内に充填し、或いは前記植生バッグのバッグ布の多層構造の挟層内に設置することを特徴とする、請求項１に記載のスロープ補強緑化構造。
【請求項６】
前記植生バッグは、ブロック状ユニット体或いは長方形状ユニット体構造であることを特徴とする、請求項１乃至５の何れか１項に記載のスロープ補強緑化構造。
【請求項７】
スロープ補強緑化構造は、スタッフィングを充填し、しかも通気性と透水性を備える多数の植生バッグ、多数の留め具を備え、
前記植生バッグの上表面には、芝生を敷設し、或いは植物の苗を植え、底部は緑化が必要なスロープ上に敷設し、
前記留め具を、前記植生バッグに突き刺し、スロープと接続して固定し、これにより前記植生バッグとスロープとは一体となり、
前記植生バッグと前記スロープとの間には、一体に固定する作用を備える補強層を設置することを特徴とする、スロープ補強緑化構造。
【請求項８】
前記補強層は、コンクリート或いは粘着剤であることを特徴とする、請求項７に記載のスロープ補強緑化構造。
【請求項９】
前記相互に隣接する２個の植生バッグの上表面の間或いは相互に隣接する２個の植生バッグ底部と補強層との間は、連接固定部品を嵌めて接続し、
前記連接固定部品は、基板を備え、
前記基板の片側表面には、前記２個の相互に隣接する植生バッグに嵌めて接続する多数の突出物を設置し、
前記基板上には、前記留め具を通過させる少なくとも１個の孔を開設することを特徴とする、請求項７に記載のスロープ補強緑化構造。
【請求項１０】
前記植生バッグは、ブロック状ユニット体或いは長方形状ユニット体構造であることを特徴とする請求項７乃至９の何れか１項に記載のスロープ補強緑化構造。
【考案の詳細な説明】
【技術分野】
【０００１】
本考案はスロープ補強緑化構造に関し、特に緑化スロープ全体の安定/堅固性を向上させることができるスロープ補強緑化構造に関する。
【背景技術】
【０００２】
従来のスロープの多くは、コンクリートを注入して形成し、または石により自然に形成されたものもある（石頭山など）。しかし、このような従来のスロープは、生態のバランスを崩し、周囲の気温を上昇させ、騒音を拡大してしまっている。だが、環境保護に注目が集まる今、グリーンエンジニアリングは既に世界各国の共同責任となっている。
【０００３】
コンクリート注入、石などにより形成した上記のスロープに対しては、しばしばネットを被せ、養分を含む土壌と草の種をスプレーする方式で緑化を行う。この方式は、短期間での緑化効果は良好で、竣工検収と上級検査においても高評価を得ることができる。しかし時間の経過に従い、養分を含む土壌の風化により土が痩せ、また雨に打たれ養分を含む土壌が流出し、滑らかだったスロープも風にさらされ、緑化の効果は失われてしまう。
【０００４】
本申請人は、緑化工程設計及び施工における経験を生かし、２００５年〜２００６年、中国でグリーンスロープ構造に関する特許を申請した(特許文献１、２、３参照)。しかし施工の過程において、本申請人は、スロープ全体を緑化した後、安定/堅固性の面でなお理想的とはいえない状態であることを発見した。
【０００５】
よって、本考案は、従来のスロープ緑化構造の上記した欠点に鑑みてなされたものである。
【先行技術文献】
【特許文献】
【０００６】
【特許文献１】中国特許第ZL 200520103935.9号
【特許文献２】中国特許第ZL200520145284.X号
【特許文献３】中国特許第ZL200620001854.2号
【考案の概要】
【考案が解決しようとする課題】
【０００７】
そこで、本考案が解決しようとする課題は、環境緑化、生態保護、美観、環境保護の作用を備え、しかも空気指数を改善することができ、熱及び騒音を吸収可能で、特にスロープの緑化においてより安定/堅固な効果を達成することができるスロープ補強緑化構造を提供することである。
【課題を解決するための手段】
【０００８】
上記課題を解決するため、本考案は下記のスロープ補強緑化構造を提供する。即ち、スロープ補強緑化構造は、スタッフィングを充填し、しかも通気性と透水性を備える多数の植生バッグ、多数の留め具を備え、該植生バッグは、植物種子を含み、しかも緑化が必要なスロープ上に敷設し、該留め具を、該植生バッグに突き刺し、スロープと接続して固定し、これにより植生バッグとスロープとは一体となり、該植生バッグと該スロープとの間には、一体に固定する作用を備える補強層を設置し、該補強層は、コンクリート或いは粘着剤で、該相互に隣接する２個の植生バッグの上表面の間或いは相互に隣接する２個の植生バッグ底部と補強層との間は、連接固定部品を嵌めて接続し、該連接固定部品は、基板を備え、該基板の片側表面には、該２個の相互に隣接する植生バッグに嵌めて接続する多数の突出物を設置し、該基板上には、該留め具を通過させる少なくとも１個の孔を開設し、該植物種子は、該植生バッグ表面にスプレーし、或いは該スタッフィング中に混ぜて該植生バッグ内に充填し、或いは該植生バッグのバッグ布の多層構造の挟層内に設置し、該植生バッグは、ブロック状ユニット体或いは長方形状ユニット体構造で、スロープ補強緑化構造は、スタッフィング11を充填し、しかも通気性と透水性を備える多数の植生バッグ、多数の留め具を備え、該植生バッグの上表面には、芝生を敷設し、或いは植物の苗を植え、底部は緑化が必要なスロープ上に敷設し、該留め具を、該植生バッグに突き刺し、スロープと接続して固定し、これにより該植生バッグと該スロープとは一体となり、該植生バッグと該スロープとの間には、一体に固定する作用を備える補強層を設置し、該補強層は、コンクリート或いは粘着剤で、該相互に隣接する２個の植生バッグの上表面の間或いは相互に隣接する２個の植生バッグ底部と補強層との間は、連接固定部品を嵌めて接続し、該連接固定部品は、基板を備え、該基板の片側表面には、該２個の相互に隣接する植生バッグに嵌めて接続する多数の突出物を設置し、さらに該基板上には、該留め具を通過させる少なくとも１個の孔を開設し、該植生バッグは、ブロック状ユニット体或いは長方形状ユニット体構造である。
【考案の効果】
【０００９】
本考案と従来の技術とを比較すると、本考案スロープ補強緑化構造は、スタッフィングを充填し、植物種子を混在させ、或いは芝生を敷設する植生バッグとスロープとの間に増設する補強層により、スロープ緑化は、環境緑化、生態保護、美観、環境保護の作用を備えるようになり、しかも空気指数を改善することができ、熱及び騒音を吸収可能で、特にスロープの緑化においてより安定/堅固な効果を達成することができる。
【図面の簡単な説明】
【００１０】
【図１】本考案第一実施例の構造模式図である。
【図２】本考案第二実施例の構造模式図である。
【図３】本考案第三実施例の構造模式図である。
【図４】本考案第四実施例の構造模式図である。
【図５】本考案第五実施例の構造模式図である。
【考案を実施するための形態】
【００１１】
以下に図面を参照しながら本考案を実施するための最良の形態について詳細に説明する。
【００１２】
図１に示すように、本考案第一実施例は、ブロック状ユニット体の植生バッグ鋪設構造である。スロープ補強緑化構造は、スタッフィング11を充填し、しかも通気性と透水性を備える複数の植生バッグ1と複数の留め具2とを備える。
【００１３】
植生バッグ1中には、スタッフィング11に混ぜた植物種子12を備える。植物種子12は、植生バッグ表面にスプレーし、或いは/しかも植生バッグ１のバッグ布の多層構造の挟層内に敷設することができるが、ここでは詳述しない。植生バッグ1は、緑化が必要なスロープ3上に平らに敷設し、各１個の留め具2を１個の植生バッグ2に対応させて突き刺し、植生バッグ1とスロープ3とを固定する。
【００１４】
植生バッグ1とスロープ3との間には、一体に固定する作用を備える補強層4を設置する。これにより、植生バッグ1とスロープ3とは、一体となる。補強層4は、コンクリート或いは粘着剤（のりなど）である。補強層4は、先にスロープ3上に設置し、次に植生バッグ1を補強層4に平らに敷設し、さらに留め具2を植生バッグ1に突き刺してスロープ3上に固定する。こうして、本考案スロープ緑化構造の敷設を完成させる。
【００１５】
本実施例中では、スロープ緑化構造全体を、さらに安定/堅固とするため、相互に隣接する２個の植生バッグ1上表面の間に、少なくとも１個の連接固定部品5を嵌めて接続することができる。連接固定部品5は、基板51を備える。基板51の片側表面には、植生バッグ1の嵌接に用いる突出物52を備え、突出物52を相互に隣接する植生バッグ1表面に嵌める。基板51中央位置には、孔(図示なし)を開設でき、これにより留め具2は孔を貫通後、スロープ1と固定することができる。
【００１６】
図２に示すように、本考案第二実施例と第一実施例の相違点は、連接固定部品5を、２個の相互に隣接する植生バッグ1底部と補強層4との間に設置し、連接固定部品5の基板51の片側表面上に設置する突出物52を利用して、２個の相互に隣接する植生バッグ1の底部に嵌める点である。基板51の他方の表面は、補強層4上に密着する。基板51は、補強層4により安定/堅固に押さえられる。
【００１７】
さらに、さまざまに異なるスロープの構造に対して、基板51上には孔（図示なし）を開設することができる。留め具2は孔を通って補強層4を通過し、スロープ3上に固定され、こうして連接固定部品5を通して、植生バッグ1をスロープ3上で安定させることができる。本実施例は、連接固定部品5の設置位置を、第一実施例における植生バッグ1の上表面から、植生バッグ1底部へと換えただけで、他の構造は第一実施例と相同であるため、ここでは重ねて記載しない。
【００１８】
図３は、本考案第三実施例の長方形状ユニット体である植生バッグ構造を示す模式図である。図に示すように、本実施例と第一実施例との唯一の相違点は、長方形状ユニット体である植生バッグを、ブロック状ユニット体の植生バッグに置換する点で、それはスロープ側面上の緑化に適用する。
【００１９】
先ずスロープ3上に関連する補強層（セメント或いは粘着剤）を設置する。次に、長方形状ユニット体の植生バッグ1’を、スロープ3の上方に沿って、縦方向にスロープ3の底部まで伸ばす。しかも、植生バッグ1’底部は、好ましくは土中に埋設する（埋設しなくとも良い）。続いて、スロープ3の傾斜度に応じて、使用する留め具2の数を決定し、長方形植生バッグ1’を安定/堅固にスロープの側面部に固定する。こうして、植生バッグ1’とスロープ3との間には、一体固定作用を備える補強層が形成される。他の連接固定部品5の使用などは、第一実施例と同様であるため、ここでは重ねて記載しない。
【００２０】
図４に示すように、本考案第四実施例と第三実施例とはおおよそ相同で、両者間の差異は、長方形状ユニット体である植生バッグ1’を、スロープ3の傾斜面からその側面部まで、横方向に伸ばす点である。他の留め具2、補強層4及び連接固定部品5などの構造施工は相同であるため、ここでは詳述しない。
【００２１】
図５に示す本考案第五実施例は、ブロック状ユニット体である植生バッグ敷設の別種の実施方式を示す。本実施例と第一実施例との唯一の相違点は、本実施例は植生バッグ1上に直接芝生13を敷設する方式で、植生バッグ1内に植物種子12を混在させる方式に置換する点で、本実施例の方式はより迅速、より直接的に緑化効果を達成することができる。
【００２２】
先ず、スロープ3上に補強層（コンクリート或いは粘着剤）を設置後、次に植生バッグ1を、補強層4上に敷設する。さらに、留め具2を利用し植生バッグ1に突き刺し、スロープ3上に固定し、最後に、芝生13を植生バッグ1の上表面に敷設する。連接固定部品5などの他の構造施工は相同であるため、ここでは記載しない。
【００２３】
本実施例は、芝生を敷設する他に、植生バッグ1上に苗木、花などを植えることができる。この芝生13を敷設、及び苗木、花などを植える方式は、第二、三、四実施例中の植物種子に置換することができ、しかも第二実施例中に示す連接固定部品5を設置する位置も、第三、四、五実施例中に適用することができる。ここでは、一つ一つを説明することはしない。
【００２４】
各実施例の説明において上記したように、本考案の設計のポイントは、スタッフィングを充填し、植物種子を混在させ、或いは芝生を敷設する植生バッグとスロープとの間に増設する補強層にある。これにより、従来のスロープ緑化は、環境緑化、生態保護、美観、環境保護の作用を備えるようになり、しかも空気指数を改善することができ、熱及び騒音を吸収可能で、特にスロープの緑化においてより安定/堅固な効果を達成することができる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新登録請求の要件である新規性を備え、従来の同類製品に比べ十分な進歩を有し、実用性が高く、社会のニーズに合致しており、産業上の利用価値は非常に大きい。
【符号の説明】
【００２７】
1, 1’：植生バッグ
11：スタッフィング 
12：植物種子
13：芝生
2：留め具
3：スロープ
4：補強層
5：連接固定部品
51：基板
52：突出物
【図１】
0003167684.tif 000003
【図２】
0003167684.tif 000004
【図３】
0003167684.tif 000005
【図４】
0003167684.tif 000006
【図５】
0003167684.tif 000007